(57)【要約】本発明の乳首洗浄機は、液体洗浄を中心にブラシ洗浄し、空気を動力として洗浄タンクを回転させ牛の乳首の洗浄を完全にする。前記の乳首洗浄機は、洗浄液と空気混合物によるリズム的な圧力変化を利用するので乳首マッサージのような柔らかい洗浄ができ、乳首を刺激し搾乳量を増やすことができる。前記の乳首洗浄機は、他種類の乳首洗浄機に比べて安全性が高い。本発明の乳首洗浄機は洗浄液と空気混合の方式を利用するため、牛の乳首洗浄が更に完全にでき、しかも搾乳の低コストができる。本発明の乳首洗浄機は構造的に洗浄カップと洗浄タンクが一体化するため、現場作業員が使いやすく、取り付けスペースを減らし、低コストに繋がる。本発明の乳首洗浄機は、他種類の乳首洗浄機に比べて軽く現場作業員の労働強度を軽減できる。【選択図】図２2019501627.tif 000003
2019501627.tif 000002
【特許請求の範囲】
【請求項１】
ハンドル（２）、洗浄タンク外バレル（２２）、スイッチ本体（３６）とスイッチベース（４２）で構成された乳頭洗浄機である。前記のハンドル（２）は対称な二つの部分がネジ穴とネジによって固定されて構成されている。前記のハンドル（２）の中にスイッチ（３）とスイッチ本体（３６）があるが、前記のスイッチ（３）がスイッチ本体（３６）に設置されている。前記のスイッチ本体（３６）は下のスイッチベース（４２）に固定されている。
前記のスイッチ（３）とスイッチ本体（３６）の間に固定用蓋（３２）とＯ型リング固定用蓋（３３）が順次に固定されている。前記のスイッチ（３）の下部にパター（３１）が接続される。前記のパター（３１）は順次に固定用蓋（３２）、Ｏ型リング固定用蓋（３３）と一番目Ｏ型リング（３４）を貫いている。前記の一番目Ｏ型リング（３４）はＯ型リング固定用蓋（３３）に付けられている。前記押し手（３１）の外側にＯ型リング固定用蓋（３３）とスイッチ本体（３６）の間のＯ型リング円柱（４９）が設置されている。前記のＯ型リング円柱（４９）の外側に二番目Ｏ型リング（４８）が設置されている。前記のスイッチ本体（３６）にお互いに繋がっている出口（３５）と入口（４０）が設けられてあり、また前記の出口（３５）と入口（４０）はスイッチの本体（３６）の両側にある。前記のスイッチ本体（３６）の底の内側に一番目Ｏ型リング（３４）が設けられてある。前記のスイッチベース（４２）の底に一番目Ｏ型リング（３４）固定用の底ホルダー（４１）が設けられてある。前記のスイッチ本体（３６）の内側に平型リング（３７）が設けられてある。前記の平型リング（３７）と一番目Ｏ型リング（３４）の間に順次に円球（３８）とスプリング（３９）が設けられてある。前記のスイッチの本体（３６）の隣に押し用スプリング（２７）が設けられている。
前記のハンドル（２）の先端に洗浄カップ（１０）が設けられてある。前記の洗浄カップ（１０）の先端に洗浄カップ蓋（７）が設けられてある。前記の洗浄カップ蓋（７）の上の表面に複数の洗浄カップ蓋穴（９）が均等に設けられてあり、洗浄カップ蓋（７）は洗浄カップ蓋穴（９）とネジによって洗浄カップ（１０）の先端に固定されてある。前記の洗浄カップ蓋（７）に洗浄カップ蓋ブラシ（８）が固定されてある。
前記のハンドル（２）の先の下に洗浄タックベース（１２）が設けられてあり、洗浄タックベース（１２）の上に洗浄タックベース蓋（２０）がもうけられてある。前記の洗浄タンクホルダーカバー（２０）と洗浄タックベース（１２）の間に順次にベアリング（４５）、ガスケット（４４）や弾力ガスケット（４３）が設けられてある。前記の洗浄バレルバレル（２２）はインストールハンドル（２）の先端の内側に設けられてある。前記の洗浄タンク外バレル（２２）の下にインストール洗浄タンクプロペラ（２１）が設けられてある。前記の洗浄タンクプロペラ（２１）はベアリング（４５）に繋げてある。前記の洗浄タンク外バレル（２２）の内側に内バレルネジ（２４）を通して洗浄タンク内バレル（２３）が繋げられてある。前記の洗浄タンク内バレル（２３）に多数の洗浄液空気入口（２５）と一番目洗浄液空気出口（２６）が設けられてある。前記の洗浄タンク内バレル（２３）の底に二番目洗浄液空気出口（４７）が設けられてある。前記の洗浄タンク内バレル（２３）の上に洗浄タンク蓋（６）が設けられてある。前記の洗浄タンク蓋（６）の周りに多数の洗浄タンク蓋穴（４）が均等に設けられてある。前記の洗浄タンク蓋（６）は洗浄タンク蓋穴（４）とネジによって洗浄タンク内バレル（２３）に固定されてある。前記の洗浄タンク蓋（６）の内に洗浄タンク蓋ブラシ（５）が設けられてある。
前記のハンドル（２）の後部にパイプホルダー（１４）が設けられてある。前記のパイプホルダー（１４）に４つの穴が開けられてあり、その中の３つの穴はそれぞれ洗浄液パイプ（１５）、空気パイプ（１６）、入浴剤パイプ（１７）を通り、４番目の穴は空気出口として残す。前記の洗浄液パイプ（１５）、空気パイプ（１６）と入浴剤パイプ（１７）はスイッチの本体に繋げてあり、スイッチ（３）によって制御される。前記のスイッチ本体（３６）にそれぞれ洗浄タンクホルダーカバー（２０）底の洗浄液空気パイプ（１３）、洗浄カップ（１０）底の入浴剤空気パイプ（１１）および空気入りパイプ（１９）を設けられてある。前記の洗浄液空気パイプ（１３）にタイマー式圧力スイッチ（４６）が設けられてある。
【請求項２】
請求項１の乳首洗浄機は、前記のスイッチ（３）に入浴剤スイッチ（２８）、空気スイッチ（２９）、洗浄液スイッチ（３０）が順次設置されていて、入浴剤スイッチ（２８）が入浴剤パイプ（１７）を制御、空気スイッチ（２９）が空気パイプ（１６）を制御、洗浄液スイッチ（３０）が洗浄液パイプ（１５）を制御することを特徴としている。
【請求項３】
請求項１の乳首洗浄機は、前記のスイッチ本体（３６）に洗浄液空気パイプ（１３）、入浴剤空気パイプ（１１）と空気入りパイプ（１９）が繋がっていること、更に洗浄液空気パイプ（１３）と空気入りパイプ（１９）との間に一方バルブ（１８）が設置、入浴剤パイプ（１７）と空気パイプ（１６）の間にも一方バルブ（１８）が設置されることを特徴としている。
【発明の詳細な説明】
【０００１】本考案は、ハンドル（２）、洗浄タンク外バレル（２２）、スイッチ本体（３６）とスイッチベース（４２）で構成された新型の乳頭洗浄機に関するものである。
【背景技術】
【０００２】搾乳作業の前に乳牛の乳首を洗浄する必要があるが、伝統的な技術では牧場で牛の乳首消毒処理は人工的にタオルや雑巾を使って行われる。この方法は作業員の労働強度とタオルの消費量は大きく、しかもタオルの消毒処理を必要とするため余分な仕事量が増える。もしタオルの消毒処理を省くと交差感染が起こり、乳牛が病気に可能性がある。
【発明の概要】
【発明が解決しようとする課題】
【０００３】既存の技術でもいくつかの自動的な乳牛の乳首ウォッシャーが使われているが、このような構造の乳頭ウォッシャーには多くの欠点はある。例えば、乳牛の乳首洗浄にブラシを使うため、長く使い続けると牛の乳首に対する刺激性が大きく、牛の乳首に損傷が生じ交差感染に繋がり、安全性が低くしかもコストが高くなる。
【課題を可決するための手段】
【０００４】本発明では、上記の背景技術問題点を解決するために一種の乳頭洗浄機を考案する。
具体的には、一種のハンドル（２）、洗浄タンク外バレル（２２）、スイッチ本体（３６）とスイッチベース（４２）で構成された乳頭洗浄機である。前記のハンドル（２）は対称な二つの部分がネジ穴とネジによって固定されて構成されている。前記のハンドル（２）の中にスイッチ（３）とスイッチ本体（３６）があるが、前記のスイッチ（３）がスイッチ本体（３６）に設置されている。前記のスイッチ本体（３６）は下のスイッチベース（４２）に固定されている。
前記のスイッチ（３）とスイッチ本体（３６）の間に固定用蓋（３２）とＯ型リング固定用蓋（３３）が順次に固定されている。前記のスイッチ（３）の下部にパター（３１）が接続される。前記のパター（３１）は順次に固定用蓋（３２）、Ｏ型リング固定用蓋（３３）と一番目Ｏ型リング（３４）を貫いている。前記の一番目Ｏ型リング（３４）はＯ型リング固定用蓋（３３）に付けられている。前記押し手（３１）の外側にＯ型リング固定用蓋（３３）とスイッチ本体（３６）の間のＯ型リング円柱（４９）が設置されている。前記のＯ型リング円柱（４９）の外側に二番目Ｏ型リング（４８）が設置されている。前記のスイッチ本体（３６）にお互いに繋がっている出口（３５）と入口（４０）が設けられてあり、また前記の出口（３５）と入口（４０）はスイッチの本体（３６）の両側にある。前記のスイッチ本体（３６）の底の内側に一番目Ｏ型リング（３４）が設けられてある。前記のスイッチベース（４２）の底に一番目Ｏ型リング（３４）固定用の底ホルダー（４１）が設けられてある。前記のスイッチ本体（３６）の内側に平型リング（３７）が設けられてある。前記の平型リング（３７）と一番目Ｏ型リング（３４）の間に順次に円球（３８）とスプリング（３９）が設けられてある。前記のスイッチの本体（３６）の隣に押し用スプリング（２７）が設けられている。
前記のハンドル（２）の先端に洗浄カップ（１０）が設けられてある。前記の洗浄カップ（１０）の先端に洗浄カップ蓋（７）が設けられてある。前記の洗浄カップ蓋（７）の上の表面に複数の洗浄カップ蓋穴（９）が均等に設けられてあり、洗浄カップ蓋（７）は洗浄カップ蓋穴（９）とネジによって洗浄カップ（１０）の先端に固定されてある。前記の洗浄カップ蓋（７）に洗浄カップ蓋ブラシ（８）が固定されてある。
前記のハンドル（２）の先の下に洗浄タックベース（１２）が設けられてあり、洗浄タックベース（１２）の上に洗浄タックベース蓋（２０）がもうけられてある。前記の洗浄タンクホルダーカバー（２０）と洗浄タックベース（１２）の間に順次にベアリング（４５）、ガスケット（４４）や弾力ガスケット（４３）が設けられてある。前記の洗浄バレルバレル（２２）はインストールハンドル（２）の先端の内側に設けられてある。前記の洗浄タンク外バレル（２２）の下にインストール洗浄タンクプロペラ（２１）が設けられてある。前記の洗浄タンクプロペラ（２１）はベアリング（４５）に繋げてある。前記の洗浄タンク外バレル（２２）の内側に内バレルネジ（２４）を通して洗浄タンク内バレル（２３）が繋げられてある。前記の洗浄タンク内バレル（２３）に多数の洗浄液空気入口（２５）と一番目洗浄液空気出口（２６）が設けられてある。前記の洗浄タンク内バレル（２３）の底に二番目洗浄液空気出口（４７）が設けられてある。前記の洗浄タンク内バレル（２３）の上に洗浄タンク蓋（６）が設けられてある。前記の洗浄タンク蓋（６）の周りに多数の洗浄タンク蓋穴（４）が均等に設けられてある。前記の洗浄タンク蓋（６）は洗浄タンク蓋穴（４）とネジによって洗浄タンク内バレル（２３）に固定されてある。前記の洗浄タンク蓋（６）の内に洗浄タンク蓋ブラシ（５）が設けられてある。
前記のハンドル（２）の後部にパイプホルダー（１４）が設けられてある。前記のパイプホルダー（１４）に４つの穴が開けられてあり、その中の３つの穴はそれぞれ洗浄液パイプ（１５）、空気パイプ（１６）、入浴剤パイプ（１７）を通り、４番目の穴は空気出口として残す。前記の洗浄液パイプ（１５）、空気パイプ（１６）と入浴剤パイプ（１７）はスイッチの本体に繋げてあり、スイッチ（３）によって制御される。前記のスイッチ本体（３６）にそれぞれ洗浄タンクホルダーカバー（２０）底の洗浄液空気パイプ（１３）、洗浄カップ（１０）底の入浴剤空気パイプ（１１）および空気入りパイプ（１９）を設けられてある。前記の洗浄液空気パイプ（１３）にタイマー式圧力スイッチ（４６）が設けられてある。
更に本発明の乳首洗浄機は、前記のスイッチ（３）に入浴剤スイッチ（２８）、空気スイッチ（２９）、洗浄液スイッチ（３０）が順次設置されていて、入浴剤スイッチ（２８）が入浴剤パイプ（１７）を制御、空気スイッチ（２９）が空気パイプ（１６）を制御、洗浄液スイッチ（３０）が洗浄液パイプ（１５）を制御することを特徴としている。
更に本発明の乳首洗浄機は、前記のスイッチ本体（３６）に洗浄液空気パイプ（１３）、入浴剤空気パイプ（１１）と空気入りパイプ（１９）が繋がっていること、更に洗浄液空気パイプ（１３）と空気入りパイプ（１９）との間に一方バルブ（１８）が設置、入浴剤パイプ（１７）と空気パイプ（１６）の間にも一方バルブ（１８）が設置されることを特徴としている。
【発明の効果】
【０００５】本発明の乳首洗浄機は、液体洗浄を中心にブラシ洗浄し、空気を動力として洗浄タンクを回転させ牛の乳首の洗浄を完全にする。前記の乳首洗浄機は、洗浄液と空気混合物によるリズム的な圧力変化を利用するので乳首マッサージのような柔らかい洗浄ができ、乳首を刺激し搾乳量を増やすことができる。前記の乳首洗浄機は、他種類の乳首洗浄機に比べて安全性が高い。前記の乳首洗浄機は洗浄液と空気混合の方式を利用するため、牛の乳首洗浄が更に完全にでき、しかも搾乳の低コストができる。
本発明の乳首洗浄機は構造的に洗浄カップと洗浄タンクが一体化するため、現場作業員が使いやすく、取り付けスペースを減らし、低コストに繋がる。本発明の乳首洗浄機は、他種類の乳首洗浄機に比べて軽く現場作業員の労働強度を軽減できる。
【図面の簡単な説明】
【０００６】
【図１】は乳首洗浄機の全体構造図である。
【図２】は乳首洗浄機の解析図である。
【図３】は乳首洗浄機の半断面図である。
【図４】は乳首洗浄機の中のスイッチの解析図である。
【図５】は乳首洗浄機の実施２での構造図である。
【図６】は乳首洗浄剤の実施２での説明図である。
【符号の説明】  １−ネジ穴；２−ハンドル；；３−スイッチ、４−洗浄タンク蓋穴；５−洗浄タンク蓋ブラシ；６−洗浄タンク蓋；７−洗浄カップ蓋；８−洗浄カップ蓋ブラシ；９−洗浄カップ蓋穴；１０−洗浄カップ；１１−入浴剤空気パイプ；１２−洗浄タンクベース；１３−洗浄液空気パイプ；１４−パイプホルダー；１５−洗浄液パイプ；１６−空気パイプ；１７−入浴剤パイプ；１８−一方バルブ；１９−空気入りパイプ；２０−洗浄タンクホルダーカバー；２１−洗浄タンクプロペラ；２２−洗浄タンク外バレル；２３−洗浄タンク内バレル；２４−内バレルネジ；２５−洗浄液空気入口；２６−一番目洗浄液空気出口；２７−押し用スプリング；２８−入浴剤スイッチ；２９−空気スイッチ；３０−洗浄液スイッチ；３１−押し手；３２−固定用蓋；３３−Ｏ型リング固定用蓋；３４−一番目Ｏ型リング；３５−出口；３６−スイッチ本体；３７−平型リング；３８−円球；３９−スプリング；４０−入口；４１−底ホルダ；４２−スイッチベース；４３−弾力ガスケット；４４−ガスケット；４５−ベアリング；４６−タイマー式圧力スイッチ；４７−二番目洗浄液空気出口；４８−二番目Ｏ型リング；４９−Ｏ型リング円柱。
【発明を実施するための形態】
【実施例】
【０００８】以下に、添付図を用いて本発明の乳頭洗浄機を具体的に説明して実施例とする。ただし、本実施例は本発明の考案の一例であり、すべての考案を体表するものではない。本実施例に基づいて、この分野の技術者が創造的作業を前提に実施して得た他のすべての実施例も本発明の範囲にある。
【実施例１】    以下、添付図１−４に従って実施例を説明する。ハンドル（２）、洗浄タンク外バレル（２２）、スイッチ本体（３６）とスイッチベース（４２）で構成された乳頭洗浄機である。前記のハンドル（２）は対称な二つの部分がネジ穴とネジによって固定されて構成されている。前記のハンドル（２）の中にスイッチ（３）とスイッチ本体（３６）があるが、前記のスイッチ（３）がスイッチ本体（３６）に設置されている。前記のスイッチ本体（３６）は下のスイッチベース（４２）に固定されている。
前記のスイッチ（３）とスイッチ本体（３６）の間に固定用蓋（３２）とＯ型リング固定用蓋（３３）が順次に固定されている。前記のスイッチ（３）の下部にパター（３１）が接続される。前記のパター（３１）は順次に固定用蓋（３２）、Ｏ型リング固定用蓋（３３）と一番目Ｏ型リング（３４）を貫いている。前記の一番目Ｏ型リング（３４）はＯ型リング固定用蓋（３３）に付けられている。前記押し手（３１）の外側にＯ型リング固定用蓋（３３）とスイッチ本体（３６）の間のＯ型リング円柱（４９）が設置されている。前記のＯ型リング円柱（４９）の外側に二番目Ｏ型リング（４８）が設置されている。前記のスイッチ本体（３６）にお互いに繋がっている出口（３５）と入口（４０）が設けられてあり、また前記の出口（３５）と入口（４０）はスイッチの本体（３６）の両側にある。前記のスイッチ本体（３６）の底の内側に一番目Ｏ型リング（３４）が設けられてある。前記のスイッチベース（４２）の底に一番目Ｏ型リング（３４）固定用の底ホルダー（４１）が設けられてある。前記のスイッチ本体（３６）の内側に平型リング（３７）が設けられてある。前記の平型リング（３７）と一番目Ｏ型リング（３４）の間に順次に円球（３８）とスプリング（３９）が設けられてある。前記のスイッチの本体（３６）の隣に押し用スプリング（２７）が設けられている。
前記のハンドル（２）の先端に洗浄カップ（１０）が設けられてある。前記の洗浄カップ（１０）の先端に洗浄カップ蓋（７）が設けられてある。前記の洗浄カップ蓋（７）の上の表面に複数の洗浄カップ蓋穴（９）が均等に設けられてあり、洗浄カップ蓋（７）は洗浄カップ蓋穴（９）とネジによって洗浄カップ（１０）の先端に固定されてある。前記の洗浄カップ蓋（７）に洗浄カップ蓋ブラシ（８）が固定されてある。
前記のハンドル（２）の先の下に洗浄タックベース（１２）が設けられてあり、洗浄タックベース（１２）の上に洗浄タックベース蓋（２０）がもうけられてある。前記の洗浄タンクホルダーカバー（２０）と洗浄タックベース（１２）の間に順次にベアリング（４５）、ガスケット（４４）や弾力ガスケット（４３）が設けられてある。前記の洗浄バレルバレル（２２）はインストールハンドル（２）の先端の内側に設けられてある。前記の洗浄タンク外バレル（２２）の下にインストール洗浄タンクプロペラ（２１）が設けられてある。前記の洗浄タンクプロペラ（２１）はベアリング（４５）に繋げてある。前記の洗浄タンク外バレル（２２）の内側に内バレルネジ（２４）を通して洗浄タンク内バレル（２３）が繋げられてある。前記の洗浄タンク内バレル（２３）に多数の洗浄液空気入口（２５）と一番目洗浄液空気出口（２６）が設けられてある。前記の洗浄タンク内バレル（２３）の底に二番目洗浄液空気出口（４７）が設けられてある。前記の洗浄タンク内バレル（２３）の上に洗浄タンク蓋（６）が設けられてある。前記の洗浄タンク蓋（６）の周りに多数の洗浄タンク蓋穴（４）が均等に設けられてある。前記の洗浄タンク蓋（６）は洗浄タンク蓋穴（４）とネジによって洗浄タンク内バレル（２３）に固定されてある。前記の洗浄タンク蓋（６）の内に洗浄タンク蓋ブラシ（５）が設けられてある。
前記のハンドル（２）の後部にパイプホルダー（１４）が設けられてある。前記のパイプホルダー（１４）に４つの穴が開けられてあり、その中の３つの穴はそれぞれ洗浄液パイプ（１５）、空気パイプ（１６）、入浴剤パイプ（１７）を通り、４番目の穴は空気出口として残す。前記の洗浄液パイプ（１５）、空気パイプ（１６）と入浴剤パイプ（１７）はスイッチの本体に繋げてあり、スイッチ（３）によって制御される。前記のスイッチ本体（３６）にそれぞれ洗浄タンクホルダーカバー（２０）底の洗浄液空気パイプ（１３）、洗浄カップ（１０）底の入浴剤空気パイプ（１１）および空気入りパイプ（１９）を設けられてある。前記の洗浄液空気パイプ（１３）にタイマー式圧力スイッチ（４６）が設けられてある。
更に本発明の乳首洗浄機は、前記のスイッチ（３）に入浴剤スイッチ（２８）、空気スイッチ（２９）、洗浄液スイッチ（３０）が順次設置されていて、入浴剤スイッチ（２８）が入浴剤パイプ（１７）を制御、空気スイッチ（２９）が空気パイプ（１６）を制御、洗浄液スイッチ（３０）が洗浄液パイプ（１５）を制御することを特徴としている。
更に本発明の乳首洗浄機は、前記のスイッチ本体（３６）に洗浄液空気パイプ（１３）、入浴剤空気パイプ（１１）と空気入りパイプ（１９）が繋がっていること、更に洗浄液空気パイプ（１３）と空気入りパイプ（１９）との間に一方バルブ（１８）が設置、入浴剤パイプ（１７）と空気パイプ（１６）の間にも一方バルブ（１８）が設置されることを特徴としている。
本発明の乳首洗浄機の作動方法：
１）空気スイッチ（２９）を押すだけで洗浄液空気パイプ（１３）に空気が入り、その空気が牛の乳首乾燥用に用いられ、作業員用紙やほかの乳頭を拭く作業を減らすことができ、交差感染と作業量を軽減できる。
２）洗浄液スイッチ（３０）を押すだけで空気スイッチ（２９）を作動させ、空気推進プロペラが洗浄タンクを回転させることができて、洗浄液と空気が同時に洗浄タンクに入る。これによって、洗浄液の使用量を減らし同時に洗浄液と空気となる混合物の圧力を増やして洗浄効果を高める。洗浄液空気パイプ（１３）の上のタイマー式圧力スイッチ（４６）が洗浄液と空気となる混合物の圧力を継時調節して、乳首マッサージ効果を増加し洗浄効果も高める。洗浄タンク盖ブラシ（５）と洗浄カップ蓋ブラシ（８）は被洗浄表面を拭くことができるし、また内部の液体噴出を防止することもできる。
３）入浴剤スイッチ（２８）を押すだけで入浴剤と空気の泡が洗浄カップに入り、入浴剤が乳首の上に留まる時間を延ばし乳首保護の効果がでる。
４）本来、洗浄カップ（１０）は単独で使われる。本発明で連携的に使われるのは搾乳後の乳首保護と感染防止のためであり、本発明の特徴である。
本発明の洗浄桶の作動方法：
空気で洗浄タンクプロペラ（２１）を回転させ、すなわち洗浄バレルを回転させる。洗浄液空気パイプ（１３）中の空気と洗浄液は洗浄液空気入口（２５）によりに入り、一番目清液体空気出口（２６）から出る。洗浄タンクホルダーカバー（２０）に設けられてある専用穴から排出される。
スイッチ（３）に設けられた一番目Ｏ型リング（３４）は完全密閉と操作の柔軟性に役に立ち、長期作業で起こる機械損傷による密封性の低下を避ける。また、使用寿命が長く同時に交換が簡単でコストが低い。
【実施例２】  図５〜６で説明すると、装置の洗浄タンクの内壁に円心に向いたブラシが設置され、動力で洗浄タンクを回転させるとブラシも回転し、乳首マッサージと乳首洗浄効果の向上ができる。洗浄タンクの動力源としては空気圧に限らず電気でもよい。
この作動の原理は：
モータがベルトを動かして洗浄タンクを回転させる。洗浄タンクの回転によって洗浄タンクのブラシも回転し、ブラシと洗浄液で牛の乳首を綺麗に洗浄できる。ブラシには柔軟なシリコンを採用し、洗浄タンク内に均等に配列してあり、本装置の洗浄効果とマッサージ効果を向上させる。
本分野の技術者にとって、明らかに本発明は上記の実施例の詳細に限らず、本発明のアイデアや基本的な特徴の範囲で他の具体的な形式によって実施できる。従って、いずれも本発明の実施例と見なすことができる。本発明の請求範囲は、請求項での詳細な説明や図面による説明で限定されるものではない。
【図１】
2019501627.tif 000004
【図２】
2019501627.tif 000005
【図３】
2019501627.tif 000006
【図４】
2019501627.tif 000007
【図５】
2019501627.tif 000008
【図６】
2019501627.tif 000009
【国際調査報告】
2019501627.tif 000010
2019501627.tif 000011
2019501627.tif 000012
2019501627.tif 000013